(57)【特許請求の範囲】
【請求項１】
特定の方向と距離で決まる位置に情報を伝えるパラメトリックスピーカであって、
交流電圧により圧電振動子を振動させて超音波を発生させる複数の超音波発音体と、
前記複数の超音波発音体のそれぞれを、前記圧電振動子の振動の節となる円周上の位置で支持する支持体と、
前記支持体を固定する基板と、を備え、
前記支持体は、厚み０．１ｍｍ以上のシリコン樹脂接着剤の凝固により弾性樹脂層として形成された、シリコン樹脂接着剤の層またはブチルゴムおよびシリコン樹脂接着剤の層により、前記圧電振動子の振動の節となる円の直径方向に沿って１ｍｍ以上の幅を持たせて前記複数の超音波発音体に接着されていることを特徴とするパラメトリックスピーカ。
【請求項２】
前記支持体は、円筒形状に形成されていることを特徴とする請求項１記載のパラメトリックスピーカ。
【発明の詳細な説明】
【技術分野】
【０００１】
本発明は、特定の方向と距離で決まる位置に情報を伝えるパラメトリックスピーカに関する。
【背景技術】
【０００２】
従来、指向性の強い超音波信号を使って、特定の方向と距離で決まる位置に情報を伝えるパラメトリックスピーカが実用化されている。これは、比較的高い音圧を持つ、変調超音波信号が、空気の非線形によって、空気中で可聴音に復調される自然現象を利用している。
【０００３】
このスピーカは、超音波を発生する超音波発音体を複数並べることにより、指向性と音圧を高めている。また各々の超音波発音体は、お互いの音圧を高めあうために、ほぼ同位相で振動するように制御されている。
【０００４】
このようなパラメトリックスピーカ用の超音波発音体は、金属板やプラスチック板の両面もしくは片面に圧電セラミックを貼り付けた振動板上に、軽量のアルミニウムもしくはアルミ合金で形成されたパラボラもしくは漏斗状の共振子を接着した構造を有している（特許文献１参照）。
【０００５】
図７に示す従来の超音波発音体の支持構造では、振動板５１２の両主面に圧電素子５１１ａ、５１１ｂが接着している。振動板５１２および圧電素子５１１ａ、５１１ｂには、電圧を印加するためのリード線５１３ａ〜５１３ｃが接続されている。また、圧電素子５１１ａには共振子５１４が接着されている。そして、圧電素子５１１ｂには支持体５１５が接着されており、これにより超音波発音体５１０が支持されている。従来技術には、このような支持体５１５を端子板で固定しているものが知られている（特許文献２参照）。
【先行技術文献】
【特許文献】
【０００６】
【特許文献１】特開昭６０−１６７５９７号公報
【特許文献２】特開昭６２−２９６６９８号公報
【発明の概要】
【発明が解決しようとする課題】
【０００７】
しかし、上記のパラメトリックスピーカ向け超音波発音体には、各超音波発音体の振動が端子板を介して相互に伝わる。パラメトリックスピーカでは、多数の超音波発音体が密集して設けられているため、互いの振動が端子板に伝わると、これらが干渉し得られる音圧が低下する。
【０００８】
また、圧電振動子の振動が接着剤で拘束され、支持部付近に応力が発生する。そして、連続して高い音圧を出し続けていると、素子の温度が上昇して、破壊に至る不具合が発生することがある。
【０００９】
本発明は、このような事情に鑑みてなされたものであり、各々の超音波発音体から支持体に伝わる振動を低減することで、音圧低下の防止とともに圧電素子の破壊を防止できるパラメトリックスピーカを提供することを目的とする。
【課題を解決するための手段】
【００１０】
（１）上記の目的を達成するため、本発明のパラメトリックスピーカは、特定の方向と距離で決まる位置に情報を伝えるパラメトリックスピーカであって、交流電圧により圧電振動子を振動させて超音波を発生させる複数の超音波発音体と、前記複数の超音波発音体のそれぞれを、前記圧電振動子の振動の節となる円周上の位置で支持する支持体と、前記支持体を固定する基板と、を備えることを特徴としている。このように、圧電振動子の節の位置で超音波発音体が支持されているため、各々の超音波発音体の振動の相互の影響を防止できる。
【００１１】
（２）また、本発明のパラメトリックスピーカは、前記支持体が、厚み０．１ｍｍ以上の樹脂接着剤の凝固により形成された弾性樹脂層により前記複数の超音波発音体に接着されていることを特徴としている。このような弾性接着剤が支持体と超音波発音体との間に存在することで、製品の個体差、接着位置による、節のずれに対して、厳密な支持位置の調整なしで各々の超音波発音体からの振動の相互の影響を防止できる。
【００１２】
（３）また、本発明のパラメトリックスピーカは、前記支持体が、円筒形状に形成されていることを特徴としている。これにより、振動を伝えることなく安定して圧電振動子を支持できる。また、支持体の作製や支持体の圧電振動子への接着の工程も容易になる。
【発明の効果】
【００１３】
本発明によれば、各々の超音波発音体から支持体に伝わる振動を低減することで、音圧低下の防止とともに圧電素子の破壊を防止できる。
【図面の簡単な説明】
【００１４】
【図１】（ａ）、（ｂ）それぞれ本発明のパラメトリックスピーカを示す正面図および側面図である。
【図２】（ａ）、（ｂ）それぞれ第１の実施形態の超音波発音体および支持体を示す側面図および底面図である。
【図３】（ａ）〜（ｃ）それぞれ第１の実施形態の超音波発音体の支持位置を模式的に示す平面図および側断面図である。
【図４】第１の実施形態の超音波発音体の動作の一場面を示す一部拡大断面図である。
【図５】パラメトリックスピーカの電気的構成を示すブロック図である。
【図６】（ａ）、（ｂ）それぞれ第２の実施形態の超音波発音体を示す側面図および底面図である。
【図７】従来の超音波発音体を示す側面図である。
【発明を実施するための形態】
【００１５】
次に、本発明の実施の形態について、図面を参照しながら説明する。説明の理解を容易にするため、各図面において同一の構成要素に対しては同一の参照番号を付し、重複する説明は省略する。
【００１６】
［第１の実施形態］
（パラメトリックスピーカの構成）
図１（ａ）、（ｂ）は、それぞれパラメトリックスピーカ１００を示す正面図および側面図である。パラメトリックスピーカ１００は、変調された超音波を強力な音圧で発生させ、空気中を超音波が伝播する際の非線形特性により、可聴音を出現させる。このようにして方向や距離を特定し指向性を与えて音響情報を伝えることを可能にする。図１に示すように、パラメトリックスピーカ１００は、複数の超音波発音体１１０が基板１２０上に設けられて構成されている。この超音波発音体１１０が、変調信号に基づいて超音波を発生させる。基板１２０は、支持体１２１を介して超音波発音体１１０を固定し支持している。なお、図１では、外観構成を示し、電気的構成は省略している。
【００１７】
（超音波発音体の構成）
図２は、超音波発音体１１０および支持体１２１を示す側面図である。超音波発音体１１０は、あらかじめ一定の共振周波数の振動で超音波を発生させるように設計されており、電圧の印加により変調超音波信号を発生させる。超音波発音体１１０は、圧電素子１１１、振動板１１２、リード線１１３ａ、１１３ｂ、共振子１１４により構成されている。
【００１８】
圧電素子１１１は、円板状に形成され、厚み方向への電圧の印加により伸縮する。圧電素子１１１は、振動板１１２の一方の主面に接着されて設置されている。圧電素子１１１は、振動板１１２の他方の主面が振動面となっており、圧電素子１１１は、振動面を介し、共振子１１４により超音波を送信できる。圧電素子１１１の両主面には、それぞれ電極が形成されており、本体部分の圧電体は厚み方向に分極されている。
【００１９】
振動板１１２は、圧電素子１１１が一方の主面に接着され、圧電素子１１１とともにユニモルフ構造を形成している。振動板１１２は、円板状に形成されている。振動板１１２は、真鍮、ＳＵＳ材または４２アロイ材、アルミニウム等の金属により形成されていることが好ましい。
【００２０】
リード線１１３ａ、１１３ｂは、基板１２０上の回路に接続され、電圧の印加、検出が可能になっている。リード線１１３ａは、振動板１１２を介して、圧電素子１１１の振動板１１２側の電極に接続されている。リード線１１３ｂは、圧電素子１１１の基板１２０側の電極に接続されている。このような構成により、電気信号を圧電素子１１１に伝達し、超音波を発生させることを可能にしている。
【００２１】
共振子１１４は、金属によりパラボラ形状に形成されている。共振子１１４は、振動板１１２の他方の主面に設けられ、振動板１１２の振動に共振して超音波を発生させる。振動板１１２上に共振子１１４を設けることで、発生する超音波の音圧を上昇させている。超音波発音体１１０は、上記のように振動板１１２に共振子１１４が接着されており、直接、圧電素子１１１に共振子１１４が接着されていないため、圧電素子１１１の破壊や、電極の欠損という不良を防止できる。共振子１１４は、図２に示すようにパラボラ状に形成されていることが好ましいが、漏斗状に形成されていてもよい。なお、共振子１１４は、アルミニウムやアルミニウム−マグネシウム合金等の軽い材料で形成されていることが好ましい。
【００２２】
なお、支持体１２１は、圧電素子１１１の基板１２０側に設けられ、たとえばシリコンゴムのような弾性体で形成されて、超音波発音体１１０を支持している。支持体１２１は、基板１２０の振動の節Ｎの位置に設けられている。これにより、超音波発音体１１０からの振動が基板１２０に伝わるのを防止しているので、各々の超音波発音体からの振動の相互の影響を防止できる。また、支持体１２１と圧電素子１１１とは、たとえばシリコン樹脂接着剤が凝固したような弾性樹脂層１２１ａにより接着されている。
【００２３】
（支持位置）
超音波発音体１１０を、その振動を阻害しないように支持するためには、圧電振動子１１５を支持体１２１で支持する位置が重要となる。図３（ａ）〜（ｃ）は、それぞれ超音波発音体１１０の支持位置を模式的に示す平面図および側断面図である。図３（ａ）に示す円状の破線の位置（図３（ｂ）に示す△の先端位置）は、振動が発生しない節Ｎである。この位置は、振動板、セラミック、共振子等の寸法と重量と各々の素材の特性から決定される。例えば、９ｍｍ直径の４２アロイ材を用いた場合、共振子の大きさにも拠るが、振動が発生しない部分の直径はおよそ４〜７ｍｍ程度になる。したがって、この位置に円筒形の支持体１２１を設ければ、基本的に振動はその下には伝わらない。
【００２４】
しかし、実際には、組み立て時のずれや重量の誤差等により、振動が発生しない位置についてコンマ１ｍｍ程度のずれは常に起こりうる。もしずれた位置で、硬い金属質のような支持体で支持していた場合、互いの超音波振動体の振動が伝わるようになる。その結果、音圧の発生効率を低下させ、超音波発音体１１０の発熱を誘発する。
【００２５】
図４は、超音波発音体１１０の動作の一場面を示す一部拡大断面図である。このような事態は、図４に示すように、ある程度厚みと幅を持たせた弾性樹脂層１２１ａで支持体１２１と圧電振動子１１５とを接着することで、実質上防ぐことができる。このようにして振動しない位置のずれを、弾性樹脂層１２１ａにより吸収できる。弾性樹脂層１２１ａには、例えばシリコン樹脂接着剤を用いることができる。また、接着剤でブチルゴムの層の両面を支持体１２１および圧電振動子１１５に接着して弾性樹脂層１２１ａとすることもできる。
【００２６】
この機能を充分に得るために、弾性樹脂層１２１ａの厚みは０．１ｍｍ以上あることが望ましい。また、弾性樹脂層１２１ａは、振動の節となる円の直径方向に沿って１ｍｍ以上の支持幅を有することが実用上好ましい。これにより、支持体１２１が圧電振動子１１５から剥がれるのを防止できる。このようにして、たとえば振動の節Ｎとなる円の円周上に、３点以上に点在する位置で支持体１２１を設けて圧電振動子１１５を保持できる。
【００２７】
上記のような弾性樹脂層１２１ａが支持体１２１と超音波発音体１１０との間に存在することで、製品の個体差、接着位置による、節のずれに対して、厳密な支持位置の調整なしで各々の超音波発音体からの振動の相互の影響を防止できる。
【００２８】
（パラメトリックスピーカの電気的構成）
図５は、パラメトリックスピーカ１００の電気的構成を示すブロック図である。図５に示すように、パラメトリックスピーカ１００は、発振器１０１、変調器１０２、増幅器１０５および超音波発音体１１０を備え、これらを介して超音波を発生させる。発振器１０１は、超音波帯域の所定の周波数で信号を発振する。発振される周波数は、発振信号が超音波発音体１１０に伝達されたとき圧電素子１１１を駆動する駆動周波数であり、パラメトリックスピーカ１００の用途に応じてあらかじめ決定されている。
【００２９】
変調器１０２は、音声信号で発振信号をＡＭ変調する。変調は、ＡＭ変調に代えて、ＤＳＢ変調、ＳＳＢ変調、ＦＭ変調であってもよい。増幅器１０５は、変調された発振信号を増幅し、超音波発音体１１０に出力する。超音波発音体１１０は、増幅された発振信号を音波に変換する。
【００３０】
上記のように構成されたパラメトリックスピーカ１００は、超音波帯域の周波数の信号を発振し、発振信号を所望の音声信号で変調し、変調信号を増幅して、超音波発音体１１０で音波に変換して放射する。このようにして、指向性の高い超音波を放射することができる。たとえば狭い範囲にいる人に選択的に案内を流すことができるため、美術館や水族館、博物館、アミューズメント施設等に利用できる。今後、交通案内等でも利用可能である。
【００３１】
［第２の実施形態］
上記の実施形態では、３本の柱状の支持体１２１により点の位置で圧電振動子１１５が支持されているが、円筒形状の支持体で節Ｎとなる円周全体が支持されていてもよい。図６（ａ）、（ｂ）は、それぞれ円周全体で支持された超音波発音体１１０を示す側面図および底面図である。
【００３２】
図６（ａ）、（ｂ）で示すように、それぞれの超音波発音体１１０は、円筒形状の支持体２２１により支持されている。支持体２２１は、弾性樹脂層２２１ａにより振動の節Ｎとなる円周上で圧電素子１１１に接着されており、超音波発音体１１０の振動が基板１２０に伝わるのを防止している。これにより、振動を伝えることなく安定して圧電振動子１１５を支持できる。また、支持体２２１の作製や支持体２２１の圧電振動子１１５への接着の工程も容易になる。
【符号の説明】
【００３３】
１００  パラメトリックスピーカ
１０１  発振器
１０２  変調器
１０５  増幅器
１１０  超音波発音体
１１１  圧電素子
１１２  振動板
１１３ａ、１１３ｂ  リード線
１１４  共振子
１１５  圧電振動子
１２０  基板
１２１  支持体
１２１ａ  弾性樹脂層
２２１  支持体
２２１ａ  弾性樹脂層
Ｎ  節
【図１】
0005806901.tif 000002
【図２】
0005806901.tif 000003
【図３】
0005806901.tif 000004
【図４】
0005806901.tif 000005
【図５】
0005806901.tif 000006
【図６】
0005806901.tif 000007
【図７】
0005806901.tif 000008